(57)【要約】【課題】高電圧発生装置の小型化を図ることができ、しかも高電圧発生装置の収納機器や部品の点検が容易に行えるＸ線装置を提供することである。【解決手段】Ｘ線管装置１２のＸ線管１４に印加するための高電圧を発生させる高電圧発生装置１３は、商用電源の交流を高周波の交流に変換する電力変換装置１７と、電力変換装置１７で得られた高周波の交流電圧を昇圧し整流して直流の高電圧を高圧コネクタ２０ａ、２０ｂから出力する高電圧タンク１８とを有し、高電圧タンク１８の上面に高圧コネクタ２０ａ、２０ｂの挿脱可能な空間を確保して、高電圧タンク１８の上部に電力変換装置１７を配置して筐体１９内に収納して形成され、筐体１９内の高電圧タンク１８の上部の空間を仕切り板２３で斜めに仕切り、高圧コネクタ２０ａ、２０ｂの挿脱可能な第１空間２４が筐体１９の背面側に位置し、残りの第２空間２５が筐体１９の前面側に位置するように構成する。【選択図】図１
2014099258.tif 000002
【特許請求の範囲】
【請求項１】
Ｘ線を発生するＸ線管装置と、前記Ｘ線管装置のＸ線管に印加するための高電圧を発生させる高電圧発生装置とを備えたＸ線装置において、
前記高電圧発生装置は、商用電源の交流を高周波の交流に変換する電力変換装置と、前記電力変換装置で得られた高周波の交流電圧を昇圧し整流して直流の高電圧を高圧コネクタから前記Ｘ線管装置のＸ線管に出力する高電圧タンクとを有し、
前記高電圧発生装置は、前記高電圧タンクの上面に前記高圧コネクタの挿脱可能な空間を確保して、前記高電圧タンクの上部に前記電力変換装置を配置して筐体内に収納して形成され、
前記筐体内の前記高電圧タンクの上部の空間を仕切り板で斜めに仕切り、前記高圧コネクタの挿脱可能な空間が前記筐体の背面側に位置し、残りの空間が前記筐体の前面側に位置するようにしたことを特徴とするＸ線装置。
【請求項２】
前記商用電源からの電源ケーブルを前記筐体の背面側の前記高圧コネクタの挿脱可能な空間に導入し、前記仕切り板を介して前記筐体の前面側の前記残りの空間に導き、前記残りの空間から前記電力変換装置及び前記筐体内の収納機器や部品に電力を供給するようにしたことを特徴とする請求項１に記載のＸ線装置。
【請求項３】
前記筐体の背面側に位置する前記高圧コネクタの挿脱可能な空間のうち斜めに仕切られた前記仕切り板の奥行き寸法が小さい位置、及び前記筐体の正面側に位置する前記残りの空間のうち斜めに仕切られた前記仕切り板の奥行き寸法が小さい位置に、点検を要する部品を配置したことを特徴とする請求項１または請求項２に記載のＸ線装置。
【請求項４】
前記筐体の背面側に位置する前記高圧コネクタの挿脱可能な空間のうち斜めに仕切られた前記仕切り板の奥行き寸法が小さい位置に、前記商用電源の配線ケーブルに取り付けられるヒューズを取り付けたことを特徴とする請求項３に記載のＸ線装置。
【請求項５】
前記筐体の正面側に位置する前記残りの空間のうち、斜めに仕切られた前記仕切り板の奥行き寸法が小さい位置に、前記商用電源の配線ケーブルに取り付けられる開閉器を取り付けたことを特徴とする請求項３記載のＸ線装置。
【発明の詳細な説明】
【技術分野】
【０００１】
本発明は、Ｘ線を発生するＸ線管装置と、Ｘ線管装置のＸ線管に印加するための高電圧を発生させる高電圧発生装置とを備えたＸ線装置に関する。
【背景技術】
【０００２】
Ｘ線装置は、Ｘ線管装置のＸ線管のアノード電極とカソード電極との間に、高電圧発生装置からの高電圧を印加して、Ｘ線管からＸ線を発生させるものである。通常、Ｘ線管装置と高電圧発生装置とは別体に構成される。
【０００３】
Ｘ線管装置は、絶縁油を充填したケースにＸ線管を収納し、Ｘ線管のカソード電極から放出された熱電子をアノード電極に衝突させてＸ線を発生させる。このとき、アノード電極に衝突する熱電子エネルギーのほとんどは熱に変換されるので、Ｘ線管のアノード電極で発生した熱は、絶縁油を介してケースへ熱伝達し、放熱部材から放熱をするにしている（例えば、特許文献１参照）。
【０００４】
一方、高電圧発生装置は、商用電源の交流を高周波の交流に変換する電力変換装置と、電力変換装置で得られた高周波の交流電圧を直流高電圧に変換してＸ線管装置のＸ線管に出力する高電圧タンクとを有し、電力変換装置と高電圧タンクとは同じ筐体に収納されている。通常、高電圧タンクの上部に電力変換装置が配置されている。
【先行技術文献】
【特許文献】
【０００５】
【特許文献１】特開２００４−１５４２３６号公報
【発明の概要】
【発明が解決しようとする課題】
【０００６】
しかし、高電圧タンクの上面には高圧コネクタが設けられているので、高圧コネクタの挿脱可能な空間を確保しなければならない。電力変換装置は高電圧タンクの上部に配置されているので、電力変換装置の配置位置と高電圧タンクの配置位置との間に、高圧コネクタの挿脱可能な空間を確保することになるので、高電圧管装置の筐体が高さ方向に大きくなる。
【０００７】
また、筐体内には電力変換装置や高電圧タンクだけでなく、電源トランスや開閉器、さらには制御装置が収納されるが、これらの収納機器や部品のうち、点検を要する機器や部品は筐体の手前側に配置しておくことが好ましい。
【０００８】
本発明の目的は、高電圧発生装置の小型化を図ることができ、しかも高電圧発生装置の収納機器や部品の点検が容易に行えるＸ線装置を提供することである。
【課題を解決するための手段】
【０００９】
本発明に係るＸ線装置は、Ｘ線を発生するＸ線管装置と、前記Ｘ線管装置のＸ線管に印加するための高電圧を発生させる高電圧発生装置とを備えたＸ線装置において、前記高電圧発生装置は、商用電源の交流を高周波の交流に変換する電力変換装置と、前記電力変換装置で得られた高周波の交流電圧を昇圧し整流して直流の高電圧を高圧コネクタから前記Ｘ線管装置のＸ線管に出力する高電圧タンクとを有し、前記高電圧発生装置は、前記高電圧タンクの上面に前記高圧コネクタの挿脱可能な空間を確保して、前記高電圧タンクの上部に前記電力変換装置を配置して筐体内に収納して形成され、前記筐体内の前記高電圧タンクの上部の空間を仕切り板で斜めに仕切り、前記高圧コネクタの挿脱可能な空間が前記筐体の背面側に位置し、残りの空間が前記筐体の前面側に位置するようにしたことを特徴とする。
【発明の効果】
【００１０】
本発明によれば、高電圧発生装置の筐体内の高電圧タンクの上部の空間を仕切り板で斜めに仕切り、高圧コネクタの挿脱可能な空間が筐体の背面側に位置し、残りの空間が筐体の前面側に位置するようにするので、高電圧発生装置の小型化を図れる。また、仕切り板で仕切られた空間の奥行き寸法が小さい位置に、点検を要する部品を配置できるので、高電圧発生装置の収納機器や部品の点検が容易に行える。
【図面の簡単な説明】
【００１１】
【図１】本発明の実施形態に係るＸ線装置の一例の構成図。
【図２】本発明の実施形態における高電圧発生装置の高電圧タンクの上部を仕切り板で仕切った部分の説明図。
【図３】本発明の実施形態における高電圧発生装置の高電圧タンクの上部を仕切り板で仕切った空間に収納機器及び部品の配置した一例の平面図。
【発明を実施するための形態】
【００１２】
以下、本発明の実施形態を説明する。図１は本発明の実施形態に係るＸ線装置の一例の構成図である。Ｘ線装置１１は、Ｘ線を発生するＸ線管装置１２と、Ｘ線管装置１２に直流の高電圧を供給する高電圧発生装置１３とからなる。Ｘ線管装置１２は、Ｘ線を発生させるＸ線管１４を絶縁油が充填されたケース１５に収納して構成され、Ｘ線管１４はアノード電極とカソード電極とを有し、アノード電極とカソード電極との間に、高電圧発生装置１３からの高電圧が印加されたときＸ線を発生させ、照射窓１６からＸ線を照射する。
【００１３】
高電圧発生装置１３は、商用電源の交流を高周波の交流に変換する電力変換装置１７と、電力変換装置１７で得られた高周波の交流電圧から直流の高電圧を発生する高電圧タンク１８とを筐体１９内に収納して形成されている。図１では、電力変換装置１７が高電圧タンク１８の上部の設置面２６に配置され、高電圧発生装置１３の背面側から見た場合を示している。
【００１４】
電力変換装置１７は、例えば、商用電源の交流を直流に整流する整流器と、整流器で整流された直流を高周波の交流に変換するインバータとで構成される。また、高電圧タンク１８は、電力変換装置で得られた高周波の交流電圧を昇圧する昇圧トランスと、この昇圧トランスで昇圧された交流電圧を整流する整流器とを有し、整流器で得られた直流の高電圧を高圧コネクタ２０ａ、２０ｂから高圧ケーブル２１ａ、２１ｂを介して、Ｘ線管装置１２のＸ線管１４に出力する。さらに、高電圧発生装置１３の筐体１９内には、電力変換装置１７や高電圧タンク１８を制御する制御装置も収納されている。
【００１５】
交流の商用電源は電源ケーブル２２を介して、筐体１９の高電圧タンク１８が収納された背面側から取り込まれ、図示省略の電源トランスに接続される。そして、電源トランスから電力変換装置１７、高電圧タンク１８や制御装置に電源が供給される。
【００１６】
次に、高電圧発生装置１３の高電圧タンク１８の上面には、高圧コネクタ２０ａ、２０ｂの挿脱可能な空間（高さ方向Ｘ）が確保されている。これは、高圧コネクタ２０ａ、２０ｂは差込プラグとプラグ受けで構成され、差込プラグをプラグ受けに抜き差しできるようにするためである。つまり、電力変換装置１７は、高電圧タンク１８の上部の設置面２６に、高圧コネクタ２０ａ、２０ｂの挿脱可能な空間を確保して、電力変換装置１７を配置して筐体１９内に収納されている。
【００１７】
また、筐体１９内の高電圧タンク１８の上部の空間は、仕切り板２３で斜めに仕切られている。この仕切り板２３により、高圧コネクタ２０ａ、２０ｂの挿脱可能な空間（第１空間）２４が筐体１９の背面側に位置し、残りの空間（第２空間）２５が筐体１９の前面側に位置するように仕切られている。
【００１８】
図２は、本発明の実施形態における高電圧発生装置１３の高電圧タンク１８の上部を仕切り板２３で仕切った部分の説明図であり、図２（ａ）は斜視図、図２（ｂ）は平面図である。
【００１９】
図２（ａ）に示すように、筐体１９内の高電圧タンク１８の上部の空間には、高電圧タンク１８の上面と電力変換装置１７の配置面２６との間に、高圧コネクタ２０ａ、２０ｂの挿脱可能な空間（高さ方向Ｘ）が確保されている。また、筐体１９内の高電圧タンク１８の上部の空間は、仕切り板２３で斜めに仕切られている。この仕切り板２３による仕切りにより、高圧コネクタ２０ａ、２０ｂの挿脱可能な空間（第１空間）２４が筐体１９の背面側に位置する。また、残りの空間（第２空間）２５が筐体１９の前面側に位置する。
【００２０】
従って、第１空間２４により、従来通りに、高圧コネクタ２０ａ、２０ｂの挿脱可能な空間（高さ方向Ｘ）を確保している。一方、図２（ｂ）に示すように、第２空間２５は、機器や部品を収納できる空間として有効利用できる。高電圧発生装置１３の筐体１９内には、電力変換装置１７や高電圧タンク１８だけでなく、電源トランスや開閉器、さらには制御装置が収納されるので、これらの収納機器や部品の一部を第２空間２５に収納できる。
【００２１】
図３は、本発明の実施形態における高電圧発生装置の高電圧タンクの上部を仕切り板で仕切った空間に収納機器及び部品の配置した一例の平面図である。
【００２２】
筐体１９の前面側の第２空間２５には、電源トランス２７及び開閉器２８が配置されている。電源トランス２７は、筐体１９の正面側から見て仕切り板２３の奥行き寸法が大きい位置に配置され、開閉器２８は仕切り板２３の奥行き寸法が小さい位置に配置されている。開閉器２８は点検を要する機器であり、仕切り板２３の奥行き寸法が小さい位置に配置することによって、正面側からの点検が容易に行えるようにしている。
【００２３】
また、筐体１９の背面側の第１空間２４には、筐体１９の背面側から見て仕切り板２３の奥行き寸法が小さい位置にヒューズ２９が配置されている。ヒューズ２９は、電源トランス２７から引き出された配線ケーブルに取り付けられる。ヒューズ２９は、点検を要する部品である。
【００２４】
商用電源からの電源ケーブル２２は、高圧ケーブル２１ａ、２１ｂが引き出される筐体１９の背面側の第１空間２４に同じ面から導入される。そして、仕切り板２３を介して筐体１９の前面側の第２空間２５の電源トランス２７に導かれ、第２空間２５の電源トランス２７から配電ケーブルを介して、電力変換装置１７、筐体１９内の収納機器や部品に電力が供給される。
【００２５】
以上述べたように、本発明の実施形態によれば、高電圧発生装置１３の筐体１９内における高電圧タンク１８の上部を仕切り板２３で仕切り、高圧コネクタ２０ａ、２０ｂの挿脱可能な第１空間２４を確保するとともに第２空間２５を確保し、第２空間２５には電源トランス２７などの収納機器を収納するので、第２空間２５を有効利用できる。従って、高電圧発生装置１３の小型化が図れる。また、開閉器２８やヒューズ２９などの点検を要する機器や部品は、筐体１９の手前側（仕切り板２３の奥行き寸法が小さい位置）に配置するので、メンテナンスを容易に行える。また、電源ケーブル２２は、高圧ケーブル２１ａ、２１ｂが引き出される面と同じ面から導入されるので、Ｘ線装置の配線の据付作業がやり易い。
【００２６】
本発明の実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
１１…Ｘ線装置、１２…Ｘ線管装置、１３…高電圧発生装置、１４…Ｘ線管、１５…ケース、１６…照射窓、１７…電力変換装置、１８…高電圧タンク、１９…筐体、２０…高圧コネクタ、２１…高圧ケーブル、２２…電源ケーブル、２３…仕切り板、２４…第１空間、２５…第２空間、２６…電力変換装置の配置面、２７…電源トランス、２８…開閉器、２９…ヒューズ
【図１】
2014099258.tif 000003
【図２】
2014099258.tif 000004
【図３】
2014099258.tif 000005